(57)【要約】【課題】高効率化を図ることが可能な給湯システムを提供する。【解決手段】熱の供給源であるガスバーナ５２と、内部を流通する不凍液に、ガスバーナ５２からの熱を供給する一次熱交換器５４と、一次熱交換器５４から供給される不凍液を流通させる第一管路５５と、第一管路５５の中途部に設けられ、第一管路５５を流通する不凍液と浴室２へと供給される水との間で熱交換可能な第一給湯熱交換器６０と、第一管路５５から供給されて内部を流通する不凍液に、ガスバーナ５２からの熱のうち、一次熱交換器５４において不凍液に供給されなかった熱を供給する二次熱交換器５６と、二次熱交換器５６から供給される不凍液を流通させる第二管路５７と、第二管路５７の中途部に設けられ、第二管路５７を流通する不凍液とデシカント空調機３へと供給される水との間で熱交換可能な第二給湯熱交換器６１と、を具備した。【選択図】図１
2015183987.tif 000002
【特許請求の範囲】
【請求項１】
熱の供給源である第一熱源と、
内部を流通する熱媒体に、前記第一熱源からの熱を供給する一次熱交換器と、
前記一次熱交換器から供給される熱媒体を流通させる第一管路と、
前記第一管路の中途部に設けられ、前記第一管路を流通する熱媒体と第一給湯需要へと供給される熱媒体との間で熱交換可能な第一給湯熱交換器と、
前記第一管路から供給されて内部を流通する熱媒体に、前記第一熱源からの熱のうち、前記一次熱交換器において熱媒体に供給されなかった熱を供給する二次熱交換器と、
前記二次熱交換器から供給される熱媒体を流通させる第二管路と、
前記第二管路の中途部に設けられ、前記第二管路を流通する熱媒体と第二給湯需要へと供給される熱媒体との間で熱交換可能な第二給湯熱交換器と、
を具備する給湯システム。
【請求項２】
前記一次熱交換器へと供給する熱媒体を貯溜する蓄熱タンクと、
前記第二管路から供給されて内部を流通する熱媒体に、前記第一熱源からの熱のうち、前記一次熱交換器及び前記二次熱交換器において熱媒体に供給されなかった熱を供給する三次熱交換器と、
前記三次熱交換器から供給される熱媒体を前記蓄熱タンクへと供給する戻り管路と、
をさらに具備する、
請求項１に記載の給湯システム。
【請求項３】
熱の供給源であり、前記蓄熱タンクに貯溜された熱媒体に熱を供給する複数の第二熱源をさらに具備し、
前記蓄熱タンクは、
前記複数の第二熱源のそれぞれに対応して複数設けられる、
請求項２に記載の給湯システム。
【請求項４】
前記一次熱交換器から供給される熱媒体の少なくとも一部を、前記第一給湯熱交換器及び前記二次熱交換器を介することなく、前記第二給湯熱交換器へと流通させることが可能なバイパス管路をさらに具備する、
請求項１から請求項３までのいずれか一項に記載の給湯システム。
【請求項５】
前記バイパス管路を流通する熱媒体の流量を調節するバイパス流量制御弁と、
前記第一給湯熱交換器から前記第一給湯需要へと供給される熱媒体の温度を検出する第一温度検出手段と、
前記第二給湯熱交換器から前記第二給湯需要へと供給される熱媒体の温度を検出する第二温度検出手段と、
前記第一温度検出手段及び前記第二温度検出手段により検出される温度に基づいて前記バイパス流量制御弁の動作を制御する制御装置と、
をさらに具備する、
請求項４に記載の給湯システム。
【請求項６】
前記一次熱交換器へと供給される熱媒体の流量を調節する供給流量制御弁と、
前記第一給湯熱交換器から前記第一給湯需要へと供給される熱媒体の温度を検出する第一温度検出手段と、
前記第二給湯熱交換器から前記第二給湯需要へと供給される熱媒体の温度を検出する第二温度検出手段と、
前記第一温度検出手段及び前記第二温度検出手段により検出される温度に基づいて前記供給流量制御弁の動作を制御する制御装置と、
をさらに具備する、
請求項１から請求項４までのいずれか一項に記載の給湯システム。
【請求項７】
前記バイパス管路を流通する熱媒体の流量を調節するバイパス流量制御弁と、
前記一次熱交換器へと供給される熱媒体の流量を調節する供給流量制御弁と、
前記第一給湯熱交換器から前記第一給湯需要へと供給される熱媒体の温度を検出する第一温度検出手段と、
前記第二給湯熱交換器から前記第二給湯需要へと供給される熱媒体の温度を検出する第二温度検出手段と、
前記第一温度検出手段及び前記第二温度検出手段により検出される温度に基づいて前記バイパス流量制御弁及び前記供給流量制御弁の動作を制御する制御装置と、
をさらに具備する、
請求項４に記載の給湯システム。
【請求項８】
前記第一給湯需要又は前記第二給湯需要は、
少なくともデシカント空調機を含む、
請求項１から請求項７までのいずれか一項に記載の給湯システム。
【発明の詳細な説明】
【技術分野】
【０００１】
本発明は、給湯需要へと熱媒体を供給する給湯システムの技術に関する。
【背景技術】
【０００２】
従来、給湯需要へと熱媒体を供給する給湯システムの技術は公知となっている。例えば、特許文献１に記載の如くである。
【０００３】
特許文献１には、熱源（ガスバーナ）と、熱源の上方に配置された一次熱交換器と、当該一次熱交換器のさらに上方に配置された二次熱交換器と、を具備する給湯システム（給湯器）が開示されている。外部から供給されてくる熱媒体（水）は、二次熱交換器及び一次熱交換器を順に流通した後、給湯需要（例えば、浴室、台所のカラン等）に供給される。
【０００４】
この際、熱源によって温められた空気によって、一次熱交換器は高温に温められている。また、一次熱交換器を通過して温度が低下した空気（排気）の熱によって、二次熱交換器もまた温められている。熱媒体は、まず二次熱交換器で予め温められた後に、一次熱交換器でさらに高温に温められ、給湯需要へと供給される。このように、特許文献１に記載の技術では、一次熱交換器を通過した後の排気中の熱（排熱）を利用して、二次熱交換器において予め水を温めている。これによって、効率良く水を温めることができる。
【０００５】
しかしながら、このような給湯システムでは、さらなる高効率化が望まれている。
【先行技術文献】
【特許文献】
【０００６】
【特許文献１】特開２００４−１９８０６５号公報
【発明の概要】
【発明が解決しようとする課題】
【０００７】
本発明は以上の如き状況に鑑みてなされたものであり、その解決しようとする課題は、高効率化を図ることが可能な給湯システムを提供することである。
【課題を解決するための手段】
【０００８】
本発明の解決しようとする課題は以上の如くであり、次にこの課題を解決するための手段を説明する。
【０００９】
即ち、請求項１においては、熱の供給源である第一熱源と、内部を流通する熱媒体に、前記第一熱源からの熱を供給する一次熱交換器と、前記一次熱交換器から供給される熱媒体を流通させる第一管路と、前記第一管路の中途部に設けられ、前記第一管路を流通する熱媒体と第一給湯需要へと供給される熱媒体との間で熱交換可能な第一給湯熱交換器と、前記第一管路から供給されて内部を流通する熱媒体に、前記第一熱源からの熱のうち、前記一次熱交換器において熱媒体に供給されなかった熱を供給する二次熱交換器と、前記二次熱交換器から供給される熱媒体を流通させる第二管路と、前記第二管路の中途部に設けられ、前記第二管路を流通する熱媒体と第二給湯需要へと供給される熱媒体との間で熱交換可能な第二給湯熱交換器と、を具備するものである。
【００１０】
請求項２においては、前記一次熱交換器へと供給する熱媒体を貯溜する蓄熱タンクと、前記第二管路から供給されて内部を流通する熱媒体に、前記第一熱源からの熱のうち、前記一次熱交換器及び前記二次熱交換器において熱媒体に供給されなかった熱を供給する三次熱交換器と、前記三次熱交換器から供給される熱媒体を前記蓄熱タンクへと供給する戻り管路と、をさらに具備するものである。
【００１１】
請求項３においては、熱の供給源であり、前記蓄熱タンクに貯溜された熱媒体に熱を供給する複数の第二熱源をさらに具備し、前記蓄熱タンクは、前記複数の第二熱源のそれぞれに対応して複数設けられるものである。
【００１２】
請求項４においては、前記一次熱交換器から供給される熱媒体の少なくとも一部を、前記第一給湯熱交換器及び前記二次熱交換器を介することなく、前記第二給湯熱交換器へと流通させることが可能なバイパス管路をさらに具備するものである。
【００１３】
請求項５においては、前記バイパス管路を流通する熱媒体の流量を調節するバイパス流量制御弁と、前記第一給湯熱交換器から前記第一給湯需要へと供給される熱媒体の温度を検出する第一温度検出手段と、前記第二給湯熱交換器から前記第二給湯需要へと供給される熱媒体の温度を検出する第二温度検出手段と、前記第一温度検出手段及び前記第二温度検出手段により検出される温度に基づいて前記バイパス流量制御弁の動作を制御する制御装置と、をさらに具備するものである。
【００１４】
請求項６においては、前記一次熱交換器へと供給される熱媒体の流量を調節する供給流量制御弁と、前記第一給湯熱交換器から前記第一給湯需要へと供給される熱媒体の温度を検出する第一温度検出手段と、前記第二給湯熱交換器から前記第二給湯需要へと供給される熱媒体の温度を検出する第二温度検出手段と、前記第一温度検出手段及び前記第二温度検出手段により検出される温度に基づいて前記供給流量制御弁の動作を制御する制御装置と、をさらに具備するものである。
【００１５】
請求項７においては、前記バイパス管路を流通する熱媒体の流量を調節するバイパス流量制御弁と、前記一次熱交換器へと供給される熱媒体の流量を調節する供給流量制御弁と、前記第一給湯熱交換器から前記第一給湯需要へと供給される熱媒体の温度を検出する第一温度検出手段と、前記第二給湯熱交換器から前記第二給湯需要へと供給される熱媒体の温度を検出する第二温度検出手段と、前記第一温度検出手段及び前記第二温度検出手段により検出される温度に基づいて前記バイパス流量制御弁及び前記供給流量制御弁の動作を制御する制御装置と、をさらに具備するものである。
【００１６】
請求項８においては、前記第一給湯需要又は前記第二給湯需要は、少なくともデシカント空調機を含むものである。
【発明の効果】
【００１７】
本発明の効果として、以下に示すような効果を奏する。
【００１８】
請求項１においては、第一給湯熱交換器において熱を奪われた熱媒体を、一次熱交換器において熱媒体に供給されなかった熱を用いて再度温めることで、高効率化を図ることができる。
【００１９】
請求項２においては、第二給湯熱交換器において熱を奪われた熱媒体を、一次熱交換器及び二次熱交換器において熱媒体に供給されなかった熱を用いて再度温め、蓄熱タンクへと戻すことで、当該蓄熱タンク内の熱媒体の温度を上昇させることができ、ひいては高効率化を図ることができる。
【００２０】
請求項３においては、複数の第二熱源に対応して設けられた複数の蓄熱タンクに貯溜された熱媒体を利用することができる。
【００２１】
請求項４においては、第一給湯熱交換器において熱を奪われる前の熱媒体を第二給湯熱交換器へと供給することで、第二給湯需要へ多くの熱を供給することが可能となる。
【００２２】
請求項５においては、第一給湯需要及び第二給湯需要へと供給される熱媒体の温度に応じて、当該第一給湯需要及び第二給湯需要へとそれぞれ供給される熱量を調節することができる。
【００２３】
請求項６においては、第一給湯需要及び第二給湯需要へと供給される熱媒体の温度に応じて、当該第一給湯需要及び第二給湯需要へと供給される熱量の総量を調節することができる。
【００２４】
請求項７においては、第一給湯需要及び第二給湯需要へと供給される熱媒体の温度に応じて、当該第一給湯需要及び第二給湯需要へとそれぞれ供給される熱量、及び当該熱量の総量を調節することができる。
【００２５】
請求項８においては、デシカント空調機へと熱を供給する給湯システムにおいて、高効率化を図ることができる。
【図面の簡単な説明】
【００２６】
【図１】本発明の一実施形態に係る給湯システムの全体的な構成を示した模式図。
【図２】同じく、一部拡大図。
【図３】一般的な給湯システムの構成を示した模式図。
【図４】本発明の一実施形態に係る給湯システムにおける湯の供給の様子を示した模式図。
【図５】給湯システムの制御方法の一例を示したフローチャート。
【図６】バイパス割合及び合計流量の調整方法を示した図。
【図７】変形例に係る給湯システムの構成を示した図。
【発明を実施するための形態】
【００２７】
まず、図１及び図２を用いて、本発明に係る給湯システムの実施の一形態に係る給湯システム１について説明する。
なお、以下の説明では、比較的温度の低い水を「水」、比較的温度の高い水を「湯」と記載するが、水と湯は温度の違い以外に実質的な差異はない。
【００２８】
給湯システム１は、需要家の元に設けられ、排熱等を利用して湯を沸かすと共に、給湯需要に応じて湯を供給するためのものである。ここで「需要家」とは、例えば住宅や種々の施設等、給湯需要のある全てのものを意味する。また「給湯需要」とは、例えば浴室等の、熱（温かい湯や不凍液）が使用される種々の設備を意味する。本実施形態においては、給湯需要として、浴室２及びデシカント空調機３を例に挙げて説明する。
【００２９】
浴室２は、本発明に係る第一給湯需要の実施の一形態である。浴室２は入浴のための部屋である。浴室２にはシャワーや浴槽等が設けられ、当該シャワー等によって湯が使用される。
【００３０】
デシカント空調機３は、本発明に係る第二給湯需要の実施の一形態である。デシカント空調機３は、デシカント（吸湿剤）を用いて空気中の水分を除湿する空調機である。デシカント空調機３は、吸湿剤に空気中の水分を吸着させることで、除湿することができる。一方、空気中の水分を吸着した吸湿剤を温めることによって、当該吸湿剤から水分を脱着させることができ、当該吸湿剤を再生する（吸湿剤が再度水分を吸着可能な状態にする）ことができる。本実施形態においては、湯を用いて吸湿剤を温め、再生させる。
【００３１】
給湯システム１は、主として太陽熱温水システム１０、ヒートポンプ給湯器２０、燃料電池システム３０、貯湯タンク４０、補助熱源システム５０、供給流量制御弁７０、第一上水管路８０、第一給湯管路９０、第二上水管路１００、第二給湯管路１１０、第一給湯温度センサ１２０、第二給湯温度センサ１３０及び制御装置１４０を具備する。
【００３２】
図１に示す太陽熱温水システム１０は、本発明に係る第二熱源の実施の一形態である。太陽熱温水システム１０は、太陽熱を集熱して蓄えるものである。太陽熱温水システム１０は、主として集熱パネル１１を具備する。
【００３３】
集熱パネル１１は、太陽光を受けて太陽熱を集熱し、当該熱によって熱媒体の温度を上昇させるものである。集熱パネル１１は、広い面で太陽光を受けることができるように、平板状に形成される。集熱パネル１１は、日当たりの良い場所（例えば、住宅の屋根の上等）に設置される。集熱パネル１１で集熱された太陽熱によって、当該集熱パネル１１内を流通する熱媒体（不凍液）の温度が上昇する。当該不凍液は、後述する貯湯タンク４０に供給される。
【００３４】
ヒートポンプ給湯器２０は、本発明に係る第二熱源の実施の一形態である。ヒートポンプ給湯器２０は、ヒートポンプによって熱媒体の温度を上昇させるものである。ヒートポンプ給湯器２０は、主としてヒートポンプユニット２１を具備する。
【００３５】
ヒートポンプユニット２１は、ヒートポンプによって熱を発生させ、内部の熱媒体（不凍液）の温度を上昇させるものである。ヒートポンプユニット２１は、温度が上昇した不凍液を後述する貯湯タンク４０に供給する。
【００３６】
燃料電池システム３０は、本発明に係る第二熱源の実施の一形態である。燃料電池システム３０は、燃料を用いて発電すると共に、当該発電の際に発生する熱（排熱）によって熱媒体の温度を上昇させるものである。燃料電池システム３０は、主として発電ユニット３１を具備する。
【００３７】
発電ユニット３１は、発電ユニット３１は、水素等の燃料を用いて電力を取り出す（発電する）ものである。発電ユニット３１によって発電された電力は、需要家の元に設けられた種々の電気負荷（電化製品等）に供給される。発電ユニット３１が発電する際には、同時に排熱が発生する。発電ユニット３１は、発生した排熱によって内部の熱媒体（不凍液）の温度を上昇させ、当該不凍液を後述する貯湯タンク４０に供給する。
【００３８】
貯湯タンク４０は、本発明に係る蓄熱タンクの実施の一形態である。貯湯タンク４０は、熱を蓄えるためのものである。貯湯タンク４０は、内部に熱媒体（不凍液）を貯溜することが可能な空間を有する箱状に形成される。貯湯タンク４０は、集熱パネル１１、ヒートポンプユニット２１及び発電ユニット３１に接続される。貯湯タンク４０は、集熱パネル１１、ヒートポンプユニット２１及び発電ユニット３１から供給される温められた不凍液を蓄えることによって、熱を蓄えることができる。
【００３９】
補助熱源システム５０は、供給される熱媒体を必要に応じて温め、当該熱媒体の熱を給湯需要へと供給するものである。補助熱源システム５０は、主として筐体５１、ガスバーナ５２、供給管路５３、一次熱交換器５４、第一管路５５、二次熱交換器５６、第二管路５７、三次熱交換器５８、戻り管路５９、第一給湯熱交換器６０、第二給湯熱交換器６１及びバイパス管路６２を具備する。
【００４０】
筐体５１は、補助熱源システム５０の各部を収容するものである。筐体５１は、内部に空間を有する箱状に形成される。
【００４１】
ガスバーナ５２は、本発明に係る第一熱源の実施の一形態である。ガスバーナ５２は、外部から供給される燃料を燃焼させ、熱を発生させる。ガスバーナ５２は、筐体５１内の下部に配置される。ガスバーナ５２で発生された熱によって、当該ガスバーナ５２の周囲の空気が高温になる。当該高温の空気は、上昇しながら、後述する一次熱交換器５４、二次熱交換器５６及び三次熱交換器５８を順に温める。
【００４２】
供給管路５３は、貯湯タンク４０内に貯溜された不凍液を筐体５１内（より詳細には、後述する一次熱交換器５４）へと供給するものである。供給管路５３の一端は貯湯タンク４０に接続される。供給管路５３の他端は筐体５１内まで延びるように設けられ、後述する一次熱交換器５４に接続される。供給管路５３の中途部には図示しないポンプが設けられる。当該ポンプが駆動されることにより、貯湯タンク４０内に貯溜された不凍液が供給管路５３を介して一次熱交換器５４へと供給される。
【００４３】
一次熱交換器５４は、内部を流通する不凍液に、ガスバーナ５２で発生された熱を供給するものである。一次熱交換器５４は、蛇行するように配管を配置することで形成される。一次熱交換器５４は、ガスバーナ５２の上方に配置される。一次熱交換器５４の一端は供給管路５３の他端に接続される。一次熱交換器５４は、ガスバーナ５２で熱せられて上昇してくる高温の空気によって温められ、内部を流通する不凍液に当該熱を供給する。これによって、一次熱交換器５４内を流通する不凍液の温度が上昇する。
【００４４】
第一管路５５は、一次熱交換器５４から供給される不凍液を、筐体５１の外部を介して再び筐体５１内（より詳細には、後述する二次熱交換器５６）へと供給するものである。第一管路５５の一端は一次熱交換器５４の他端に接続される。第一管路５５の他端は後述する二次熱交換器５６に接続される。第一管路５５の中途部は、筐体５１の外部に配置される。
【００４５】
二次熱交換器５６は、内部を流通する不凍液に、ガスバーナ５２で発生された熱を供給するものである。二次熱交換器５６は、蛇行するように配管を配置することで形成される。二次熱交換器５６は、一次熱交換器５４の上方に配置される。二次熱交換器５６の一端は第一管路５５の他端に接続される。二次熱交換器５６は、ガスバーナ５２で熱せられて上昇してくる高温の空気によって温められ、内部を流通する不凍液に当該熱を供給する。これによって、二次熱交換器５６内を流通する不凍液の温度が上昇する。
【００４６】
なお、ガスバーナ５２で熱せられて上昇してくる空気は、一次熱交換器５４を介して二次熱交換器５６へと到達する。空気が一次熱交換器５４を通過する際に、当該空気の熱の一部は当該一次熱交換器５４内の不凍液に供給されている。このため、二次熱交換器５６に到達する空気の温度は、一次熱交換器５４に到達する空気の温度よりも低くなる。
【００４７】
第二管路５７は、二次熱交換器５６から供給される不凍液を、筐体５１の外部を介して再び筐体５１内（より詳細には、後述する三次熱交換器５８）へと供給するものである。第二管路５７の一端は二次熱交換器５６の他端に接続される。第二管路５７の他端は後述する三次熱交換器５８に接続される。第二管路５７の中途部は、筐体５１の外部に配置される。
【００４８】
三次熱交換器５８は、内部を流通する不凍液に、ガスバーナ５２で発生された熱を供給するものである。三次熱交換器５８は、蛇行するように（不図視）配管を配置することで形成される。三次熱交換器５８は、二次熱交換器５６の上方に配置される。三次熱交換器５８の一端は第二管路５７の他端に接続される。三次熱交換器５８は、ガスバーナ５２で熱せられて上昇してくる高温の空気によって温められ、内部を流通する不凍液に当該熱を供給する。これによって、三次熱交換器５８内を流通する不凍液の温度が上昇する。
【００４９】
なお、ガスバーナ５２で熱せられて上昇してくる空気は、二次熱交換器５６を介して三次熱交換器５８へと到達する。空気が二次熱交換器５６を通過する際に、当該空気の熱の一部は当該二次熱交換器５６内の不凍液に供給されている。このため、三次熱交換器５８に到達する空気の温度は、二次熱交換器５６に到達する空気の温度よりも低くなる。
【００５０】
戻り管路５９は、三次熱交換器５８から供給される不凍液を貯湯タンク４０へと供給する（戻す）ものである。戻り管路５９の一端は三次熱交換器５８の他端に接続される。戻り管路５９の他端は筐体５１の外部まで延びるように設けられ、貯湯タンク４０に接続される。
【００５１】
第一給湯熱交換器６０は、第一管路５５内を流通する不凍液と、浴室２へと供給される熱媒体（水（湯））との間で熱交換を行うものである。第一給湯熱交換器６０は、第一管路５５の中途部（筐体５１の外部に位置する部分）に設けられる。
【００５２】
第二給湯熱交換器６１は、第二管路５７内を流通する不凍液と、デシカント空調機３へと供給される熱媒体（水（湯））との間で熱交換を行うものである。第二給湯熱交換器６１は、第二管路５７の中途部（筐体５１の外部に位置する部分）に設けられる。
【００５３】
バイパス管路６２は、一次熱交換器５４から供給される不凍液を、第一給湯熱交換器６０及び二次熱交換器５６を介することなく第二給湯熱交換器６１へと流通させるためのものである。バイパス管路６２の一端は、第一管路５５の中途部（第一給湯熱交換器６０よりも上流側）に接続される。バイパス管路６２の他端は、第二管路５７の中途部（第二給湯熱交換器６１よりも上流側）に接続される。第一管路５５からバイパス管路６２へと流入した不凍液は、当該バイパス管路６２の他端から第二管路５７へと供給される。これによって、当該不凍液は、第一給湯熱交換器６０及び二次熱交換器５６を介することなく第二給湯熱交換器６１へと供給されることになる。バイパス管路６２の一端（第一管路５５との接続部）には、バイパス流量制御弁６２ａが設けられる。
【００５４】
バイパス流量制御弁６２ａは、バイパス管路６２を流通する不凍液の流量を調節するものである。バイパス流量制御弁６２ａは、バイパス管路６２と第一管路５５との接続部に設けられる。バイパス流量制御弁６２ａは、バイパス管路６２の流路の面積を調節することで、当該バイパス管路６２を流通する不凍液の流量を調節することができる。これによって、一次熱交換器５４から供給される不凍液のうち、第一管路５５を介して第一給湯熱交換器６０へと供給される不凍液と、バイパス管路６２を介して第二給湯熱交換器６１へと供給される不凍液と、の割合を調節することができる。
【００５５】
供給流量制御弁７０は、供給管路５３を流通する不凍液の流量を調節するものである。供給流量制御弁７０は、供給管路５３の中途部に設けられる。供給流量制御弁７０は、供給管路５３の流路の面積を調節することで、当該供給管路５３を流通する不凍液の流量を調節することができる。これによって、貯湯タンク４０から一次熱交換器５４へと供給される不凍液の流量を調節することができる。
【００５６】
第一上水管路８０は、第一給湯熱交換器６０へと上水（熱媒体）を供給するものである。第一上水管路８０の一端は、第一給湯熱交換器６０に接続される。
【００５７】
第一給湯管路９０は、第一給湯熱交換器６０から浴室２へと湯を供給するものである。第一給湯管路９０の一端は第一給湯熱交換器６０に接続される。第一給湯管路９０の他端は浴室２に接続される。
【００５８】
第一給湯熱交換器６０は、第一管路５５を流通する不凍液の熱を、第一上水管路８０から供給される上水に供給（熱交換）する。これによって、当該上水の温度が上昇し、湯が沸かされる。当該湯は、第一給湯管路９０を介して浴室２へと供給される。
【００５９】
第二上水管路１００は、第二給湯熱交換器６１へと上水（熱媒体）を供給するものである。第二上水管路１００の一端は、第二給湯熱交換器６１に接続される。
【００６０】
第二給湯管路１１０は、第二給湯熱交換器６１からデシカント空調機３へと湯を供給するものである。第二給湯管路１１０の一端は第二給湯熱交換器６１に接続される。第二給湯管路１１０の他端はデシカント空調機３に接続される。
【００６１】
第二給湯熱交換器６１は、第二管路５７を流通する不凍液の熱を、第二上水管路１００から供給される上水に供給（熱交換）する。これによって、当該上水の温度が上昇し、湯が沸かされる。当該湯は、第二給湯管路１１０を介してデシカント空調機３へと供給される。
【００６２】
第一給湯温度センサ１２０は、本発明に係る第一温度検出手段の実施の一形態である。第一給湯温度センサ１２０は、第一給湯熱交換器６０から浴室２へと供給される湯の温度を検出するものである。第一給湯温度センサ１２０は第一給湯管路９０の中途部に設けられる。第一給湯温度センサ１２０は、第一給湯管路９０を流通する湯の温度を検出することにより、浴室２へと供給される湯の温度を検出することができる。
【００６３】
第二給湯温度センサ１３０は、本発明に係る第二温度検出手段の実施の一形態である。第二給湯温度センサ１３０は、第二給湯熱交換器６１からデシカント空調機３へと供給される湯の温度を検出するものである。第二給湯温度センサ１３０は第二給湯管路１１０の中途部に設けられる。第二給湯温度センサ１３０は、第二給湯管路１１０を流通する湯の温度を検出することにより、デシカント空調機３へと供給される湯の温度を検出することができる。
【００６４】
図２に示す制御装置１４０は、給湯システム１（特に、補助熱源システム５０）の動作を制御するものである。制御装置１４０は、主としてＣＰＵ等の演算処理装置、ＲＡＭやＲＯＭ等の記憶装置、Ｉ／Ｏ等の入出力装置、並びにモニター等の表示装置等により構成される。制御装置１４０には、給湯システム１の動作を制御するための種々の情報やプログラム等が予め記憶される。
【００６５】
制御装置１４０は浴室２に接続され、当該浴室２において要求される熱量（湯の温度及び量）に関する信号を受信することができる。
制御装置１４０はデシカント空調機３に接続され、当該デシカント空調機３において要求される熱量（湯の温度及び量）に関する信号を受信することができる。
制御装置１４０は第一給湯温度センサ１２０に接続され、浴室２へと供給される湯の温度に関する信号を受信することができる。
制御装置１４０は第二給湯温度センサ１３０に接続され、デシカント空調機３へと供給される湯の温度に関する信号を受信することができる。
制御装置１４０はバイパス流量制御弁６２ａに接続され、当該バイパス流量制御弁６２ａの動作（バイパス管路６２を流通する不凍液の流量）を制御することができる。
制御装置１４０は供給流量制御弁７０に接続され、当該供給流量制御弁７０の動作（供給管路５３を流通する不凍液の流量）を制御することができる。
【００６６】
以下では、図１及び図２を用いて、上述の如く構成された給湯システム１の動作の概要について説明する。
【００６７】
太陽熱温水システム１０、ヒートポンプ給湯器２０及び燃料電池システム３０によって温められた不凍液は、貯湯タンク４０内に貯溜される。当該不凍液は、給湯需要（浴室２及びデシカント空調機３）からの湯の要求に応じて、補助熱源システム５０の第一給湯熱交換器６０及び第二給湯熱交換器６１に供給される。当該第一給湯熱交換器６０及び第二給湯熱交換器６１において、不凍液の熱が上水へと供給され、温度が上昇した上水（湯）が浴室２及びデシカント空調機３へとそれぞれ供給される。
【００６８】
この際、貯湯タンク４０内の不凍液の温度が低い場合には、補助熱源システム５０において当該不凍液が温められる。具体的には、貯湯タンク４０から供給された不凍液は、一次熱交換器５４において温められた後に第一給湯熱交換器６０に供給される。
【００６９】
また、第一給湯熱交換器６０を流通した不凍液は、二次熱交換器５６において再び温められた後に第二給湯熱交換器６１に供給される。この際、必要に応じて、一次熱交換器５４において温められた不凍液の一部が、バイパス管路６２を介して第二給湯熱交換器６１に供給される。
【００７０】
このようにして、貯湯タンク４０内の不凍液の温度が、給湯需要からの湯の要求に対して十分高温でない場合には、当該補助熱源システム５０において不凍液が温められる。当該不凍液を第一給湯熱交換器６０及び第二給湯熱交換器６１に供給することで、給湯需要に十分な熱（要求に応じた温度及び量の湯）を供給することができる。
【００７１】
さらに、第二給湯熱交換器６１を流通した不凍液は、三次熱交換器５８において再び温められた後に貯湯タンク４０へと戻される。このように、一次熱交換器５４及び二次熱交換器５６で不凍液に供給されなかった熱（排熱）を、貯湯タンク４０へと戻される不凍液に供給することができる。これによって、排熱を利用して貯湯タンク４０内の不凍液の温度を上昇させることができ、エネルギー効率の向上を図ることができる。
【００７２】
以下では、図３及び図４を用いて、従来の一般的な給湯システム（補助熱源システム２５０）及び本実施形態に係る給湯システム１（補助熱源システム５０）による給湯の様子の違いについて、一例を挙げて説明する。
【００７３】
まず、図３を用いて、一般的な給湯システム（特に、補助熱源システム２５０）の構成について簡単に説明する。
【００７４】
補助熱源システム２５０は、供給熱交換器２６３、ガスバーナ２５２、供給管路２５３、一次熱交換器２５４及び二次熱交換器２５６を具備する。
【００７５】
供給熱交換器２６３には、図示しない上水管路を介して上水が供給される。供給熱交換器２６３は、貯湯タンク４０に貯溜された不凍液の熱を上水へと供給する。当該上水は、供給管路２５３を介して二次熱交換器２５６へと供給される。二次熱交換器２５６を流通した上水は、当該二次熱交換器２５６の下方に配置された一次熱交換器２５４へと供給される。一次熱交換器２５４及び二次熱交換器２５６を流通する上水は、一次熱交換器２５４の下方に配置されたガスバーナ５２からの熱（高温の空気）によって温められる。
【００７６】
一次熱交換器２５４を流通した上水（湯）は、浴室２に接続された第一給湯管路２９０と、デシカント空調機３に接続された第二給湯管路３１０と、に分岐して供給される。第一給湯管路２９０を流通する湯には、第一上水管路２８０を介して上水が混ぜ合わされ、当該湯が浴室２へと供給される。第二給湯管路３１０を流通する湯には、第二上水管路３００を介して上水が混ぜ合わされ、当該湯がデシカント空調機３へと供給される。
【００７７】
次に、上述の一般的な給湯システム及び本実施形態に係る給湯システム１を用いて給湯需要（浴室２及びデシカント空調機３）に湯を供給する際の、熱媒体（不凍液や湯等）の温度及び流量の違いについて説明する。なお、以下の説明の前提として、浴室２及びデシカント空調機３に、それぞれ４０（℃）の湯を１２０（Ｌ）ずつ供給するものとする。また、貯湯タンク４０から補助熱源システム５０（補助熱源システム２５０）へと供給される不凍液（水）の温度は２０（℃）、上水の温度は１５（℃）、一次熱交換器５４（一次熱交換器２５４）を流通した不凍液（湯）の温度は７５（℃）になるものとする。
【００７８】
まず、図３を用いて、一般的な給湯システムを用いて給湯需要に湯を供給する様子について説明する。なお、補助熱源システム２５０において、ガスバーナ２５２から一次熱交換器２５４へと供給される空気の温度は１５００（℃）、一次熱交換器２５４を介して二次熱交換器２５６へと供給される空気の温度は２００（℃）であるものとする。
【００７９】
この場合、供給熱交換器２６３によって２０（℃）、１００（Ｌ）の上水が供給管路２５３へと供給される。当該上水は、二次熱交換器２５６及び一次熱交換器２５４を順に流通することで、７５（℃）まで温められる。当該上水（湯）は２つに分岐され、第一給湯管路２９０及び第二給湯管路３１０へとそれぞれ５０（Ｌ）ずつ供給される。
【００８０】
第一給湯管路２９０へと供給された湯には、第一上水管路２８０を介して１５（℃）、７０（Ｌ）の上水が混ぜ合わされ、４０（℃）、１２０（Ｌ）になった湯が浴室２へと供給される。
また、第二給湯管路３１０へと供給された湯には、第二上水管路３００を介して１５（℃）、７０（Ｌ）の上水が混ぜ合わされ、４０（℃）、１２０（Ｌ）になった湯がデシカント空調機３へと供給される。
【００８１】
このように、図３に示した給湯システムでは、浴室２及びデシカント空調機３にそれぞれ４０（℃）の湯を１２０（Ｌ）ずつ供給する場合、２０（℃）、１００（Ｌ）の上水（供給管路２５３を介して二次熱交換器２５６へと供給される上水）が必要となる。
【００８２】
次に、図４を用いて、本実施形態に係る給湯システム１を用いて給湯需要に湯を供給する様子について説明する。なお、補助熱源システム５０において、ガスバーナ５２から一次熱交換器５４へと供給される空気の温度は１５００（℃）、一次熱交換器５４を介して二次熱交換器５６へと供給される空気の温度は２００（℃）、二次熱交換器５６を介して三次熱交換器５８へと供給される空気の温度は８０（℃）であるものとする。
【００８３】
この場合、２０（℃）、１００（Ｌ）の不凍液が貯湯タンク４０から供給管路５３へと供給される。当該不凍液は、一次熱交換器５４を流通することで７５（℃）まで温められる。当該不凍液は、バイパス流量制御弁６２ａで分岐され、一部（５０（Ｌ））が第一管路５５を介して第一給湯熱交換器６０へと供給される。その他の不凍液（３０（Ｌ））は、バイパス管路６２を介して第二管路５７へと供給される。
【００８４】
第一給湯熱交換器６０では、第一管路５５を介して供給された不凍液の熱が、第一上水管路８０を介して供給される上水（１５（℃）、１２０（Ｌ））へと供給される。このようにして４０（℃）まで温められた上水（湯）が浴室２へと供給される。
【００８５】
また、第一給湯熱交換器６０を流通して温度が下がった不凍液（１５（℃）、５０（Ｌ））は、二次熱交換器５６を流通することで４０（℃）まで温められる。当該不凍液には、バイパス管路６２を介して供給される不凍液が混ぜ合わされ、５３（℃）、８０（Ｌ）になった不凍液が第二管路５７を介して第二給湯熱交換器６１へと供給される。
【００８６】
第二給湯熱交換器６１では、第二管路５７を介して供給された不凍液の熱が、第二上水管路１００を介して供給される上水（１５（℃）、１２０（Ｌ））へと供給される。このようにして４０（℃）まで温められた上水（湯）がデシカント空調機３へと供給される。
【００８７】
また、第二給湯熱交換器６１を流通して温度が下がった不凍液（１５（℃）、８０（Ｌ））は、三次熱交換器５８を流通することで２５（℃）まで温められる。当該不凍液は、戻り管路５９を介して貯湯タンク４０へと戻される。
【００８８】
このように、本実施形態に係る給湯システム１では、浴室２及びデシカント空調機３にそれぞれ４０（℃）の湯を１２０（Ｌ）ずつ供給する場合、２０（℃）、８０（Ｌ）の不凍液（供給管路５３を介して供給される不凍液）が必要となる。
【００８９】
一般的な給湯システム（図３参照）と本実施形態に係る給湯システム１（図４参照）を比較する。一般的な給湯システムでは２０（℃）の水が１００（Ｌ）必要（供給管路２５３を介して二次熱交換器２５６等へと供給される）のに対して、本実施形態に係る給湯システム１では２０（℃）の不凍液が８０（Ｌ）あれば（供給管路５３を介して一次熱交換器５４等へと供給すれば）足りる。すなわち給湯システム１は、およそ２０（％）だけエネルギー効率を向上させることができる。さらに給湯システム１では、貯湯タンク４０へと戻される不凍液を三次熱交換器５８で温めることができるため、当該貯湯タンク４０に蓄えられる熱量を増加させることもできる。これによって、よりエネルギー効率を向上させることができる。
【００９０】
以下では、図５及び図６を用いて、上述の如く構成された給湯システム１の制御方法の一例について説明する。
【００９１】
図５に示すステップＳ１０１において、制御装置１４０は、浴室２において要求される熱量が０より大きいか否かを判定する。すなわち、制御装置１４０は、浴室２において熱（湯）が要求されているか否かを判定する。
制御装置１４０は、浴室２において熱（湯）が要求されていると判定した場合、ステップＳ１０２に移行する。
制御装置１４０は、浴室２において熱（湯）が要求されていないと判定した場合、ステップＳ１０４に移行する。
【００９２】
ステップＳ１０２において、制御装置１４０は、デシカント空調機３において要求される熱量が０より大きいか否かを判定する。すなわち、制御装置１４０は、デシカント空調機３において熱（湯）が要求されているか否かを判定する。
制御装置１４０は、デシカント空調機３において熱（湯）が要求されていると判定した場合、ステップＳ１０３に移行する。
制御装置１４０は、デシカント空調機３において熱（湯）が要求されていないと判定した場合、ステップＳ１０６に移行する。
【００９３】
ステップＳ１０３において、制御装置１４０は、バイパス割合及び合計流量の調整方法を決定する。
ここで、「バイパス割合」とは、一次熱交換器５４から第一管路５５へと供給された不凍液に対する、当該第一管路５５から分岐してバイパス管路６２を流通する不凍液の割合を意味する。
また、「合計流量」とは、貯湯タンク４０から供給管路５３を介して一次熱交換器５４へと供給される不凍液の流量である。
【００９４】
制御装置１４０は、図６に示す表に従って、前記バイパス割合及び前記合計流量の調整方法を決定する。図６に示す表は、浴室２へと供給される湯の温度（第一給湯温度センサ１２０によって検出される温度）とデシカント空調機３へと供給される湯の温度（第二給湯温度センサ１３０によって検出される温度）との関係に応じて、前記バイパス割合及び前記合計流量の調整方法を定めたものである。以下、図６に示す表の内容について説明する。
【００９５】
制御装置１４０は、浴室２及びデシカント空調機３において要求されている熱量から、当該浴室２及びデシカント空調機３へと供給すべき湯の適正な温度（目標温度）を算出する。そして制御装置１４０は、当該目標温度に対して、実際に浴室２及びデシカント空調機３へと供給されている湯の温度が適正（目標温度とほぼ同じ温度）であるか、高いか、又は低いかを判定する。以下、浴室２へと実際に供給されている湯の温度を「浴室温度」、デシカント空調機３へと実際に供給されている湯の温度を「デシカント温度」とそれぞれ記す。
【００９６】
制御装置１４０は、浴室温度が目標温度より高く、かつデシカント温度が目標温度より高いと判定した場合（図６のＰ１参照）、前記合計流量を減らすことを決定する。
制御装置１４０は、浴室温度が目標温度より高く、かつデシカント温度が適正である判定した場合（図６のＰ２参照）、前記合計流量を減らすと共に前記バイパス割合を増やすことを決定する。
制御装置１４０は、浴室温度が目標温度より高く、かつデシカント温度が目標温度より低いと判定した場合（図６のＰ３参照）、前記バイパス割合を増やすことを決定する。
【００９７】
制御装置１４０は、浴室温度が適正であり、かつデシカント温度が目標温度より高いと判定した場合（図６のＰ４参照）、前記合計流量を減らすと共に前記バイパス割合を減らすことを決定する。
制御装置１４０は、浴室温度が適正であり、かつデシカント温度が適正であると判定した場合（図６のＰ５参照）、前記合計流量及び前記バイパス流量を調整しない（現状のまま維持する）ことを決定する。
制御装置１４０は、浴室温度が適正であり、かつデシカント温度が目標温度より低いと判定した場合（図６のＰ６参照）、前記合計流量を増やすと共に前記バイパス割合を増やすことを決定する。
【００９８】
制御装置１４０は、浴室温度が目標温度より低く、かつデシカント温度が目標温度より高いと判定した場合（図６のＰ７参照）、前記バイパス割合を減らすことを決定する。
制御装置１４０は、浴室温度が目標温度より低く、かつデシカント温度が適正であると判定した場合（図６のＰ８参照）、前記合計流量を増やすと共に前記バイパス割合を減らすことを決定する。
制御装置１４０は、浴室温度が目標温度より低く、かつデシカント温度が目標温度より低いと判定した場合（図６のＰ９参照）、前記合計流量を増やすことを決定する。
【００９９】
図６に示した表に従って前記合計流量及び前記バイパス割合を調整することによって、浴室温度及びデシカント温度を目標温度に近づけることができる。
【０１００】
制御装置１４０は、当該ステップＳ１０３の処理を行った後、ステップＳ１０７に移行する。
【０１０１】
図５に示すステップＳ１０１から移行したステップＳ１０４において、制御装置１４０は、前記バイパス割合の調整方法を決定する。具体的には、制御装置１４０は、前記バイパス割合を１００（％）にする、すなわち一次熱交換器５４から第一管路５５へと供給された不凍液全てをバイパス管路６２へと流通させる旨を決定する。
制御装置１４０は、当該ステップＳ１０４の処理を行った後、ステップＳ１０５に移行する。
【０１０２】
ステップＳ１０５において、制御装置１４０は、デシカント空調機３において要求される熱量が０より大きいか否かを判定する。すなわち、制御装置１４０は、デシカント空調機３において熱（湯）が要求されているか否かを判定する。
制御装置１４０は、デシカント空調機３において熱（湯）が要求されていると判定した場合、ステップＳ１０７に移行する。
制御装置１４０は、デシカント空調機３において熱（湯）が要求されていないと判定した場合、ステップＳ１０１に移行する。
【０１０３】
ステップＳ１０２から移行したステップＳ１０６において、制御装置１４０は、前記バイパス割合の調整方法を決定する。具体的には、制御装置１４０は、前記バイパス割合を０（％）にする、すなわち一次熱交換器５４から第一管路５５へと供給された不凍液全てを第一給湯熱交換器６０へと供給させる（バイパス管路６２に不凍液を流通させない）旨を決定する。
制御装置１４０は、当該ステップＳ１０６の処理を行った後、ステップＳ１０７に移行する。
【０１０４】
ステップＳ１０３、ステップＳ１０５又はステップＳ１０６から移行したステップＳ１０７において、制御装置１４０は、決定された前記バイパス割合及び前記合計流量の調整方法に従って、実際に当該バイパス割合及び当該合計流量を調整する。
制御装置１４０は、バイパス流量制御弁６２ａの動作を制御することによって、前記バイパス割合を調整することができる。また制御装置１４０は、供給流量制御弁７０の動作を制御することによって、前記合計流量を調整することができる。
制御装置１４０は、当該ステップＳ１０７の処理を行った後、ステップＳ１０８に移行する。
【０１０５】
ステップＳ１０８において、制御装置１４０は、浴室２において要求される熱量が変化したか否かを判定する。
制御装置１４０は、浴室２において要求される熱量が変化したと判定した場合、ステップＳ１０１に移行する。
制御装置１４０は、浴室２において要求される熱量が変化していないと判定した場合、ステップＳ１０９に移行する。
【０１０６】
ステップＳ１０９において、制御装置１４０は、デシカント空調機３において要求される熱量が変化したか否かを判定する。
制御装置１４０は、デシカント空調機３において要求される熱量が変化したと判定した場合、ステップＳ１０１に移行する。
制御装置１４０は、デシカント空調機３において要求される熱量が変化していないと判定した場合、ステップＳ１０７に移行する。
【０１０７】
このように制御装置１４０は、浴室２及びデシカント空調機３における熱（湯）の要求の有無や（ステップＳ１０１及びステップＳ１０２）、浴室温度及びデシカント温度等に基づいて、バイパス割合及び合計流量の調整方法を決定する（ステップＳ１０３、ステップＳ１０４及びステップＳ１０６）。そして制御装置１４０は、決定された調整方法に従ってバイパス割合及び合計流量を調整することによって（ステップＳ１０７）、浴室温度及びデシカント温度を目標温度に近づけることができる。
【０１０８】
また制御装置１４０は、浴室２及びデシカント空調機３において要求される熱量が変化した場合には（ステップＳ１０８及びステップＳ１０９）、再度バイパス割合及び合計流量の調整方法を決定し直す（ステップＳ１０３、ステップＳ１０４及びステップＳ１０６）。これによって、浴室２及びデシカント空調機３において要求される熱量（すなわち、目標温度）が変化した場合であっても、浴室温度及びデシカント温度を当該目標温度に近づけることができる。
【０１０９】
以上の如く、本実施形態に係る給湯システム１は、
熱の供給源であるガスバーナ５２（第一熱源）と、
内部を流通する不凍液（熱媒体）に、ガスバーナ５２からの熱を供給する一次熱交換器５４と、
一次熱交換器５４から供給される不凍液を流通させる第一管路５５と、
第一管路５５の中途部に設けられ、第一管路５５を流通する不凍液と浴室２（第一給湯需要）へと供給される水（熱媒体）との間で熱交換可能な第一給湯熱交換器６０と、
第一管路５５から供給されて内部を流通する不凍液に、ガスバーナ５２からの熱のうち、一次熱交換器５４において不凍液に供給されなかった熱を供給する二次熱交換器５６と、
二次熱交換器５６から供給される不凍液を流通させる第二管路５７と、
第二管路５７の中途部に設けられ、第二管路５７を流通する不凍液とデシカント空調機３（第二給湯需要）へと供給される水（熱媒体）との間で熱交換可能な第二給湯熱交換器６１と、
を具備するものである。
このように構成することにより、第一給湯熱交換器６０において熱を奪われた不凍液を、一次熱交換器５４において不凍液に供給されなかった熱を用いて再度温めることで、高効率化を図ることができる。
【０１１０】
また、給湯システム１は、
一次熱交換器５４へと供給する不凍液を貯溜する貯湯タンク４０（蓄熱タンク）と、
第二管路５７から供給されて内部を流通する不凍液に、ガスバーナ５２からの熱のうち、一次熱交換器５４及び二次熱交換器５６において不凍液に供給されなかった熱を供給する三次熱交換器５８と、
三次熱交換器５８から供給される不凍液を貯湯タンク４０へと供給する戻り管路５９と、
をさらに具備するものである。
このように構成することにより、第二給湯熱交換器６１において熱を奪われた不凍液を、一次熱交換器５４及び二次熱交換器５６において不凍液に供給されなかった熱を用いて再度温め、貯湯タンク４０へと戻すことで、当該貯湯タンク４０内の不凍液の温度を上昇させることができ、ひいては高効率化を図ることができる。
【０１１１】
また、給湯システム１は、
一次熱交換器５４から供給される不凍液の少なくとも一部を、第一給湯熱交換器６０及び二次熱交換器５６を介することなく、第二給湯熱交換器６１へと流通させることが可能なバイパス管路６２をさらに具備するものである。
このように構成することにより、第一給湯熱交換器６０において熱を奪われる前の不凍液を第二給湯熱交換器６１へと供給することで、デシカント空調機３へ多くの熱を供給することが可能となる。
これによって、浴室２及びデシカント空調機３へと供給される熱量の調整を容易に行うことができる。
【０１１２】
また、給湯システム１は、
バイパス管路６２を流通する不凍液の流量を調節するバイパス流量制御弁６２ａと、
第一給湯熱交換器６０から浴室２へと供給される水の温度を検出する第一給湯温度センサ１２０（第一温度検出手段）と、
第二給湯熱交換器６１からデシカント空調機３へと供給される水の温度を検出する第二給湯温度センサ１３０（第二温度検出手段）と、
第一給湯温度センサ１２０及び第二給湯温度センサ１３０により検出される温度に基づいてバイパス流量制御弁６２ａの動作を制御する制御装置１４０と、
をさらに具備するものである。
このように構成することにより、浴室２及びデシカント空調機３へと供給される水の温度に応じて、当該浴室２及びデシカント空調機３へとそれぞれ供給される熱量を調節することができる。
【０１１３】
また、給湯システム１は、
一次熱交換器５４へと供給される不凍液の流量を調節する供給流量制御弁７０と、
第一給湯熱交換器６０から浴室２へと供給される水の温度を検出する第一給湯温度センサ１２０と、
第二給湯熱交換器６１からデシカント空調機３へと供給される水の温度を検出する第二給湯温度センサ１３０と、
第一給湯温度センサ１２０及び第二給湯温度センサ１３０により検出される温度に基づいて供給流量制御弁７０の動作を制御する制御装置１４０と、
をさらに具備するものである。
このように構成することにより、浴室２及びデシカント空調機３へと供給される水の温度に応じて、当該浴室２及びデシカント空調機３へと供給される熱量の総量を調節することができる。
【０１１４】
また、給湯システム１は、
バイパス管路６２を流通する不凍液の流量を調節するバイパス流量制御弁６２ａと、
一次熱交換器５４へと供給される不凍液の流量を調節する供給流量制御弁７０と、
第一給湯熱交換器６０から浴室２へと供給される水の温度を検出する第一給湯温度センサ１２０と、
第二給湯熱交換器６１からデシカント空調機３へと供給される水の温度を検出する第二給湯温度センサ１３０と、
第一給湯温度センサ１２０及び第二給湯温度センサ１３０により検出される温度に基づいてバイパス流量制御弁６２ａ及び供給流量制御弁７０の動作を制御する制御装置１４０と、
をさらに具備するものである。
このように構成することにより、浴室２及びデシカント空調機３へと供給される水の温度に応じて、当該浴室２及びデシカント空調機３へとそれぞれ供給される熱量、及び当該熱量の総量を調節することができる。
【０１１５】
また、本発明に係る第一給湯需要又は第二給湯需要は、
少なくともデシカント空調機３を含むものである。
このように構成することにより、デシカント空調機３へと熱を供給する給湯システム１において、高効率化を図ることができる。
【０１１６】
なお、本実施形態においては、熱媒体として水（湯）及び不凍液を用いる構成としたが、本発明に係る熱媒体はこれに限るものではなく、任意に選択して使用することが可能である。
【０１１７】
また、図中においては、一次熱交換器５４、二次熱交換器５６及び三次熱交換器５８を簡略化して記載しているが、実際には配管を何重にも蛇行させて形成しても良い。
【０１１８】
また、本実施形態においては、第一熱源の実施の一形態としてガスバーナ５２を例示したが、本発明はこれに限るものではない。すなわち、十分な熱を発生させることが可能であれば、その他の熱源を用いることも可能である。
【０１１９】
また、本実施形態においては、第一給湯需要及び第二給湯需要の実施の一形態として浴室２及びデシカント空調機３を例示したが、本発明はこれに限るものではない。すなわち、熱を利用する設備であれば、その他種々の設備（例えば、床暖房設備等）を用いることも可能である。
【０１２０】
また、本実施形態においては、第一給湯需要及び第二給湯需要（すなわち、浴室２及びデシカント空調機３）は異なる設備であるものとして説明したが、本発明はこれに限るものではない。すなわち、第一給湯需要及び第二給湯需要は同じ設備（例えば、どちらも浴室２）であっても良い。
【０１２１】
また、本実施形態においては、給湯システム１は、第二熱源（太陽熱温水システム１０、ヒートポンプ給湯器２０及び燃料電池システム３０）からの熱によって温められて熱媒体（不凍液）を貯溜する貯湯タンク４０を１つ具備する構成としたが、本発明はこれに限るものではない。例えば、図７に示す給湯システム１のように、複数の貯湯タンク（第一貯湯タンク４１、第二貯湯タンク４２及び第三貯湯タンク４３）を具備する構成とすることも可能である。以下、図７に示した変形例に係る給湯システム１について簡単に説明する。
【０１２２】
図７に示した変形例に係る給湯システム１が、上記実施形態に係る給湯システム１（図１等参照）と異なる点は、貯湯タンク４０に代えて第一貯湯タンク４１、第二貯湯タンク４２及び第三貯湯タンク４３を具備する点である。
【０１２３】
第一貯湯タンク４１は集熱パネル１１に接続され、当該集熱パネル１１から供給される温められた不凍液を蓄える。第二貯湯タンク４２はヒートポンプユニット２１に接続され、当該ヒートポンプユニット２１から供給される温められた不凍液を蓄える。第三貯湯タンク４３は発電ユニット３１に接続され、当該発電ユニット３１から供給される温められた不凍液を蓄える。
【０１２４】
第一貯湯タンク４１に接続された第一供給管路４１ａ、第二貯湯タンク４２に接続された第二供給管路４２ａ及び第三貯湯タンク４３に接続された第三供給管路４３ａは、供給管路切換弁５３ａを介して供給管路５３に接続される。供給管路切換弁５３ａは、内部の流路を切り換えることで、第一供給管路４１ａ、第二供給管路４２ａ又は第三供給管路４３ａのいずれか１つと、供給管路５３と、を連通することができる。
【０１２５】
また、第一貯湯タンク４１に接続された第一戻り管路４１ｂ、第二貯湯タンク４２に接続された第二戻り管路４２ｂ及び第三貯湯タンク４３に接続された第三戻り管路４３ｂは、戻り管路切換弁５９ａを介して戻り管路５９に接続される。戻り管路切換弁５９ａは、内部の流路を切り換えることで、第一戻り管路４１ｂ、第二戻り管路４２ｂ又は第三戻り管路４３ｂのいずれか１つと、戻り管路５９と、を連通することができる。
【０１２６】
このように構成された変形例に係る給湯システム１においては、供給管路切換弁５３ａを任意に切り換えることで、第一貯湯タンク４１、第二貯湯タンク４２又は第三貯湯タンク４３のうち任意の貯湯タンク内の不凍液を、供給管路５３へと供給することができる。例えば、第一貯湯タンク４１、第二貯湯タンク４２又は第三貯湯タンク４３のうち、貯溜された不凍液の温度が最も高い貯湯タンクから不凍液を供給することで、熱を効率良く給湯需要へと供給することができる。
【０１２７】
また、戻り管路切換弁５９ａを任意に切り換えることで、戻り管路５９から供給される不凍液を、第一貯湯タンク４１、第二貯湯タンク４２又は第三貯湯タンク４３のうち任意の貯湯タンクへと戻すことができる。例えば、第一貯湯タンク４１、第二貯湯タンク４２又は第三貯湯タンク４３のうち、貯溜された不凍液の温度が最も低い貯湯タンクに、戻り管路５９から供給される不凍液（すなわち、三次熱交換器５８で温められた不凍液）を戻すことで、当該貯湯タンク内の不凍液の温度を上昇させることができる。
【０１２８】
以上の如く、変形例に係る給湯システム１は、
熱の供給源であり、貯湯タンク（第一貯湯タンク４１、第二貯湯タンク４２及び第三貯湯タンク４３）に貯溜された熱媒体に熱を供給する複数の第二熱源（太陽熱温水システム１０、ヒートポンプ給湯器２０及び燃料電池システム３０）をさらに具備し、
前記貯湯タンクは、
前記複数の第二熱源のそれぞれに対応して複数設けられるものである。
このように構成することにより、複数の第二熱源に対応して設けられた複数の貯湯タンクに貯溜された不凍液を利用することができる。
【０１２９】
なお、本実施形態及び変形例においては、第二熱源の実施の一形態として太陽熱温水システム１０、ヒートポンプ給湯器２０及び燃料電池システム３０を例示したが、本発明はこれに限るものではない。すなわち、第二熱源は、熱を発生させることができるものであれば良い。
【符号の説明】
【０１３０】
１      給湯システム
２      浴室（第一給湯需要）
３      デシカント空調機（第二給湯需要）
１０    太陽熱温水システム（第二熱源）
２０    ヒートポンプ給湯器（第二熱源）
３０    燃料電池システム（第二熱源）
４０    貯湯タンク（蓄熱タンク）
５２    ガスバーナ（第一熱源）
５４    一次熱交換器
５５    第一管路
５６    二次熱交換器
５７    第二管路
５８    三次熱交換器
５９    戻り管路
６０    第一給湯熱交換器
６１    第二給湯熱交換器
６２    バイパス管路
６２ａ  バイパス流量制御弁
７０    供給流量制御弁
１２０  第一給湯温度センサ（第一温度検出手段）
１３０  第二給湯温度センサ（第二温度検出手段）
１４０  制御装置
【図１】
2015183987.tif 000003
【図２】
2015183987.tif 000004
【図３】
2015183987.tif 000005
【図４】
2015183987.tif 000006
【図５】
2015183987.tif 000007
【図６】
2015183987.tif 000008
【図７】
2015183987.tif 000009